(57)【要約】      （修正有）【課題】各種食品を一つのカップ容器に収納することが可能になり、食事用の皿として兼用することができる簡易カップ兼紙皿を提供する。【解決手段】円錐形状に丸める紙片１を設ける。紙片１紙片の周側縁に底部の位置の目安となる底部用目印２を形成する。紙片１紙片の周側縁に開口部の直径の目安となる複数の調整用目印３を形成する。底部用目印２を起点に紙片１を円錐形状に巻くと簡易カップが形成される。紙片１を平らに展開すると紙製皿が形成されるように構成する。【選択図】図１
0003212176.tif 000002
【実用新案登録請求の範囲】
【請求項１】
円錐形状に丸める円形状の紙片を設け、該紙片の周側縁に、底部の位置の目安となる底部用目印と、開口部の直径の目安となる複数の調整用目印とを形成し、底部用目印を起点とし開口部の直径を調整用目印の位置に合わせて紙片を巻くと円錐形状に簡易カップが形成され、紙片を平らに展開すると紙製皿が形成されるように構成したことを特徴とする簡易カップ兼紙皿。
【請求項２】
前記調整用目印は、前記紙片の周側縁に沿って３ヶ所形成され、該調整用目印を選択すると前記簡易カップの収納容積が大、中、小の３タイプに変更されるように構成した請求項１又は２記載の簡易カップ兼紙皿。
【請求項３】
前記紙片は楕円形状を成したラミ加工クレープ包装紙にて形成され、前記底部用目印と前記接着突片は、前記紙片の周囲縁を切り込んで形成した請求項１記載の簡易カップ兼紙皿。
【考案の詳細な説明】
【技術分野】
【０００１】
本考案は、巻いて使用すると唐揚げやポテト、ポップコーン等の食品を収納する簡易カップとなり、広げて使用するとそのまま紙皿になる店頭販売用の簡易カップ兼紙皿に関する。
【背景技術】
【０００２】
従来、ファーストフードやコンビニ等の店頭販売用の紙皿として、折畳み可能な３角形の紙皿が提案されている（特許文献１参照）。この紙皿は、一人前に切取った３角形板状のピザを体裁良く収納するように構成したもので、特に、３角形の紙皿をワンタッチで組立てるようにすることで、ピザなどの店頭販売が迅速になるというものである。
【先行技術文献】
【特許文献】
【０００３】
【特許文献１】実用新案登録第２５４３４０８号
【考案の概要】
【考案が解決しようとする課題】
【０００４】
特許文献１に記載されている紙皿は、３角形に形成されているので一人前に切取ったピザを収納するのに好適であるが、この紙皿に収納可能な食品はピザに限定される不都合があった。
【０００５】
すなわち、ファーストフード店やコンビニ等の店頭で販売される食品は、唐揚げやポテト、ポップコーン等の各種食品が扱われている。そのため、ピザを収納する単品用の紙皿を個別に使用すると、食品の種類に合わせた各種の紙皿を準備する必要があり、製造コストや収納スペース等の課題があった。
【０００６】
そこで本考案は、上述の課題を解消すべく案出されたもので、ファーストフード店やコンビニ等の店頭で販売される各種食品を一つのカップ容器に収納することが可能になり、しかも、食品を購入した店内や屋外でも食事用の皿として兼用することができる簡易カップ兼紙皿の提供を目的とするものである。
【課題を解決するための手段】
【０００７】
上述の目的を達成すべく本考案における第１の手段は、円錐形状に丸める円形状の紙片１を設け、該紙片１の周側縁に、底部の位置の目安となる底部用目印２と、開口部の直径の目安となる複数の調整用目印３とを形成し、底部用目印２を起点とし開口部の直径を調整用目印３の位置に合わせて紙片１を巻くと円錐形状に簡易カップ１０が形成され、紙片１を平らに展開すると紙製皿２０が形成されるように構成したことにある。
【０００８】
第２の手段において、前記調整用目印３は、前記紙片１の周側縁に沿って３ヶ所形成され、該調整用目印３を選択すると前記簡易カップ１０の収納容積が大、中、小の３タイプに変更されるように構成したものである。
【０００９】
第３の手段において、前記紙片１は楕円形状を成したラミ加工クレープ包装紙にて形成され、前記底部用目印２と前記接着突片３は、前記紙片１の周囲縁を切り込んで形成したものである。
【考案の効果】
【００１０】
本考案の請求項１によると、円錐形状に丸める円形状の紙片１を設け、該紙片１の周側縁に、底部の位置の目安となる底部用目印２と、開口部の直径の目安となる複数の調整用目印３とを形成し、底部用目印２を起点とし開口部の直径を調整用目印３の位置に合わせて紙片１を巻くと円錐形状に簡易カップ１０が形成され、紙片１を平らに展開すると紙製皿２０が形成されるように構成したことにより、ファーストフード店やコンビニ等の店頭で販売される各種食品を一つのカップ容器に収納することが可能になり、しかも、食品を購入した店内や屋外でも食事用の皿として兼用することができる。
【００１１】
また、請求項２のように、前記調整用目印３は、前記紙片１の周側縁に沿って３ヶ所形成され、該調整用目印３を選択すると前記簡易カップ１０の収納容積が大、中、小の３タイプに変更されるように構成したことで、販売者は、同じ紙片１を使用して客のサイズ注文に応じることができる。したがって、極めて効率の良い販売が可能になるものである。
【００１２】
しかも、請求項３のように、前記紙片１は楕円形状を成したラミ加工クレープ包装紙にて形成されているので、流行に合ったポップなデザインで、耐水性及び耐油脂性に優れた簡易カップ１０や紙製皿２０を形成することができる。また、前記底部用目印２と前記接着突片３は、前記紙片１の周囲縁を切り込んで形成したものであるから、各目印は、紙片１に印刷される模様や色彩によって識別力が低下する虞はなく、確実に目印として機能する。
【００１３】
このように本考案によると、ファーストフード店やコンビニ等の店頭で販売される各種食品を一つのカップ容器に収納することが可能になり、しかも、食品を購入した店内や屋外でも食事用の皿として兼用することができるなどといった当初の目的を達成した。
【図面の簡単な説明】
【００１４】
【図１】（イ）乃至（ハ）は、本考案の簡易カップの形成手順を示す斜視図である。
【図２】本考案の簡易カップの一実施例を示す使用状態の斜視図である。
【図３】本考案の紙製皿の一実施例を示す使用状態の斜視図である。
【図４】（イ）乃至（ホ）は、本考案の紙片の他の実施例を示す平面図である。
【考案を実施するための形態】
【００１５】
以下、本考案の実施例を説明する。本考案は、主に店頭販売用の各種食品を一種類の容器で収納して使用するもので、円錐状に丸めると簡易カップ１０として使用可能になる（図２参照）。また、平らに展開すると食品Ｐ用の紙製皿２０として使用可能になる紙製容器である（図３参照）。
【００１６】
この紙片１は、円錐形状に丸める紙製シートで、特に、食品Ｐを収納するにはラミ加工クレープ包装紙と称する紙材が適している。また、紙片１の形状やサイズは任意に変更することができる。
【００１７】
紙片１の各種形状を図４に示している。すなわち同図（イ）は丸型、（ロ）は楕円型、（ハ）は正方形型、（ニ）は菱形、（ホ）は楕円形状の周囲に波型を形成したものである。本考案簡易カップを円錐形状に巻き付けて形成するには楕円形状の紙片１が好適である（同図（ロ）、（ホ））。
【００１８】
紙片１紙片の周側縁に、底部用目印２と接着突片３とを設ける。底部用目印２は、簡易カップ１０を形成する際の底部の位置の目安となる部位である。図示例では、紙片１の周囲縁を切り込んで底部用目印２と接着突片３を形成している。この他、紙片１表面に底部用目印２や調整用目印３を印刷することも可能である。
【００１９】
本考案紙片１から簡易カップ１０を形成するには次の手順による（図１参照）。まず、紙片１の底部用目印２を起点とし開口部の直径を調整用目印３の位置に合わせて紙片１を巻く（同図（イ）、（ロ）参照）。そうすると、円錐形状の簡易カップ１０が形成され、この底部用目印２の位置が簡易カップ１０の底部になる（同図（ハ）参照）。そして、この簡易カップ１０の底部を折り返すことで、底部からのこぼれ落ちを防止できる。また、簡易カップ１０の底部をグラス等の食器Ｑに差し込んで使用することも可能である（図２参照）。
【００２０】
紙片１の調整用目印３は、簡易カップ１０を形成する際の開口部の直径の目安となる部位である（図１参照）。この調整用目印３は、直径の径を選択できるように、紙片１の周側縁に沿って３ヶ所形成している。そして、この調整用目印３を選択すると簡易カップ１０の収納容積が大、中、小の３タイプに変更できるように構成している。したがって、食品オーダーの際に、サイズ別に注文されても、この調整用目印３を選択することで簡単に対応することができる。
【００２１】
また、簡易カップ１０が形成された紙片１を平らに展開すると、紙片１によって紙製皿２０が形成されるものである（図２参照）。この紙製皿２０は、簡易カップ１０に収納した食品Ｐをテーブル等に載せる食器として使用することができる。したがって、複数の人と食事を楽しむことが可能になる。
【００２２】
使用後は、１枚の紙片１を捨てるだけの廃棄処分になり、省資源対策、省エネ対策にとって好適な使用が可能になる。
【００２３】
尚、本考案は、図示例に限定されるものではなく、本考案の紙片１、底部用目印２、調整用目印３の形状や材質等は、本考案の要旨を変更しない範囲において自由に変更できるものである。
【符号の説明】
【００２４】
１  紙片
２  底部用目印
３  調整用目印
１０  簡易カップ
２０  紙製皿
【図１】
0003212176.tif 000003
【図２】
0003212176.tif 000004
【図３】
0003212176.tif 000005
【図４】
0003212176.tif 000006
【手続補正書】
【提出日】平成29年6月28日(2017.6.28)
【手続補正１】
【補正対象書類名】実用新案登録請求の範囲
【補正対象項目名】全文
【補正方法】変更
【補正の内容】
【実用新案登録請求の範囲】
【請求項１】
円錐形状に丸める円形状の紙片を設け、該紙片の周側縁に、底部の位置の目安となる底部用目印と、開口部の直径の目安となる複数の調整用目印とを形成し、底部用目印を起点とし開口部の直径を調整用目印の位置に合わせて紙片を巻くと円錐形状に簡易カップが形成され、紙片を平らに展開すると紙製皿が形成されるように構成したことを特徴とする簡易カップ兼紙皿。
【請求項２】
前記調整用目印は、前記紙片の周側縁に沿って３ヶ所形成され、該調整用目印を選択すると前記簡易カップの収納容積が大、中、小の３タイプに変更されるように構成した請求項１記載の簡易カップ兼紙皿。
【請求項３】
前記紙片は楕円形状を成したラミ加工クレープ包装紙にて形成され、前記底部用目印と前記調整用目印は、前記紙片の周囲縁を切り込んで形成した請求項１記載の簡易カップ兼紙皿。
【手続補正２】
【補正対象書類名】明細書
【補正対象項目名】０００９
【補正方法】変更
【補正の内容】
【０００９】
第３の手段において、前記紙片１は楕円形状を成したラミ加工クレープ包装紙にて形成され、前記底部用目印２と前記調整用目印３は、前記紙片１の周囲縁を切り込んで形成したものである。